(57)【要約】【課題】通常の着用動作のみで、局部がスムーズに収容部に収容される下着を提供する。【解決手段】脚部が挿通される一対の脚部挿通部１ａと、胴部が挿通される胴部挿通部１ｂと、局部側に設けられる前身頃１１と、前身頃１１に対峙して設けられる後身頃１２と、前身頃１１と後身頃１２との間に設けられるクロッチ部１３と、を備える下着１であって、前身頃１１には、表面に露出して設けられる前身頃本体１１ａと裏面に露出して設けられる腹部当接部１１ｂとが、内部に収容空間Ｓ１が形成されるように積層され、腹部当接部１１ｂには、局部Ａが挿通される挿通口Ｔが設けられ、挿通口Ｔは、胴部挿通部１ｂに連設されていることを特徴とする。【選択図】図１
2020002491.tif 000002
【特許請求の範囲】
【請求項１】
脚部が挿通される一対の脚部挿通部と、胴部が挿通される胴部挿通部と、局部側に設けられる前身頃と、前記前身頃に対峙して設けられる後身頃と、前記前身頃と前記後身頃との間に設けられるクロッチ部と、を備える下着であって、
前記前身頃には、表面に露出して設けられる前身頃本体と裏面に露出して設けられる腹部当接部とが、内部に収容空間が形成されるように積層され、
前記腹部当接部には、局部が挿通される挿通口が設けられ、
前記挿通口は、前記胴部挿通部に連設されていることを特徴とする下着。
【請求項２】
前記挿通口と前記クロッチ部とが、間隔を空けて設けられていることを特徴とする、請求項１に記載の下着。
【請求項３】
前記前身頃本体には、前方に突出する凸部が設けられていることを特徴とする、請求項１又は２に記載の下着。
【請求項４】
前記挿通口は、略Ｕ字状であることを特徴とする、請求項１〜３の何れかに記載の下着。
【請求項５】
前記クロッチ部には、表面に露出して設けられるクロッチ部本体と裏面に露出して設けられる股部当接部と、が内部に収容空間が形成されるように積層されていることを特徴とする、請求項１〜４の何れかに記載の下着。
【発明の詳細な説明】
【技術分野】
【０００１】
本発明は、男性用の下着に係るものである。
【背景技術】
【０００２】
従来から、男性用の下着として、ブリーフやトランクス、ボクサーパンツ等、着用者の趣向に合わせて、様々な種類の下着が製造、販売されてきた。
【０００３】
特に、アスリートが着用する下着は、競技中や練習中における局部のズレを防止するために、肌に密着するタイプのものが多用されてきた。
【０００４】
しかし、このようなタイプの下着は、肌への密着性の高さから、局部周辺のベタつきや蒸れが発生する。そして、このベタつきや蒸れが、皮膚疾患や悪臭発生等の原因となっているという問題があった。
【０００５】
このような問題点を解決するために、局部を収容する収容部が設けられた下着が、種々提案されている。
【０００６】
例えば、特許文献１には、陰嚢と太腿との間にパンツ本体を構成する布地が介在しており、陰嚢及び陰茎が露出する穴と、穴を覆うカバーと、が設けられている他、カバーの右半分側とパンツ本体との間に隙間が設けられている下着が記載されている。
【０００７】
また、特許文献２には、着用者の陰茎がその根元まで挿入される第１の袋部と、陰茎と完全に分離された状態で陰嚢が挿入される第２の袋部と、が形成されている下着が記載されている。
【先行技術文献】
【特許文献】
【０００８】
【特許文献１】特開２０１１−２４６８５４号公報
【特許文献２】特許第５８９３６６７号公報
【発明の概要】
【発明が解決しようとする課題】
【０００９】
しかしながら、特許文献１に記載の下着は、その収容部が有する孔が、単純な丸穴に構成されている。また、特許文献２に記載の下着は、その収容部が有する孔が、クロッチ部近傍に略Ｕ字状に構成されている。
【００１０】
即ち、特許文献１及び特許文献２に記載の下着は、このような構成により、通常の着用動作のみで、局部がスムーズに収容部に収容されない可能性が懸念される。このような場合、着用者は、局部が収容部に収容されるように、自身の手で局部の位置を調整する必要が生じ、着用時の手間が増大する。
【００１１】
本発明は上記のような実状に鑑みてなされたものであり、通常の着用動作のみで、局部がスムーズに収容部に収容される下着を提供することを課題とする。
【課題を解決するための手段】
【００１２】
上記課題を解決するために、本発明は、脚部が挿通される一対の脚部挿通部と、胴部が挿通される胴部挿通部と、局部側に設けられる前身頃と、前記前身頃に対峙して設けられる後身頃と、前記前身頃と前記後身頃との間に設けられるクロッチ部と、を備える下着であって、
前記前身頃は、表面に露出して設けられる前身頃本体と裏面に露出して設けられる腹部当接部とが、内部に収容空間が形成されるように積層され、
前記腹部当接部には、前記局部が挿通される挿通口が設けられ、
前記挿通口は、前記胴部挿通部に連設されていることを特徴とする。
【００１３】
本発明によれば、挿通口が胴部挿通部に連設されていることで、着用者は、通常の着用動作によって、局部を、収容空間を形成している前身頃本体の裏面に確実に当接させ、スムーズに収容空間に収容することが可能となる。
【００１４】
本発明の好ましい形態では、前記挿通口と前記クロッチ部とが、間隔を空けて設けられていることを特徴とする。
【００１５】
このような構成とすることで、腹部当接部に、着用者の陰嚢と太腿とを分離する部分が形成されることとなり、下着を着用した状態での陰嚢と太腿との間のベタつきや蒸れを防止することが可能となる。
【００１６】
本発明の好ましい形態では、前記前身頃本体には、前方に突出する凸部が設けられていることを特徴とする。
【００１７】
このような構成とすることで、前身頃本体による局部の圧迫を抑制でき、快適な着心地を実現することが可能となる。
【００１８】
本発明の好ましい形態では、前記挿通口は、略Ｕ字状であることを特徴とする。
【００１９】
このような構成とすることで、挿通口の周縁が、陰嚢の周縁に確実にフィットし、より快適な着心地を実現することが可能となる。
【００２０】
本発明の好ましい形態では、前記クロッチ部は、表面に露出して設けられるクロッチ部本体と裏面に露出して設けられる股部当接部と、が内部に収容空間が形成されるように積層されていることを特徴とする。
【００２１】
このような構成とすることで、例えば、クロッチ部に形成された収容空間に適宜緩衝部材を設けることができ、股部に当接する部分にクッション性を持たせ、より快適な着心地を実現することが可能となる。
【発明の効果】
【００２２】
本発明によれば、通常の着用動作のみで、局部がスムーズに収容部に収容される下着を提供することができる。
【図面の簡単な説明】
【００２３】
【図１】本発明の実施形態に係る下着の概略斜視図である。
【図２】本発明の実施形態に係る下着の裏面を示す図である。
【図３】本発明の実施形態に係る下着のＸＸ′線断面図である。
【図４】本発明の実施形態に係る下着の着用例を示す図である。
【発明を実施するための形態】
【００２４】
以下、図１〜図４を用いて、本発明の実施形態に係る下着について説明する。
なお、以下に示す実施形態は本発明の一例であり、本発明を以下の実施形態に限定するものではない。また、これらの図において、符号１は、本実施形態に係る下着を示し、これらの図に表される点線は、本実施形態に係る下着を構成する各部材を縫合した際に表出する縫い目を示している。
【００２５】
図１に示すように、下着１は、脚部が挿通される一対の脚部挿通部１ａと、胴部が挿通される胴部挿通部１ｂと、局部Ａ（図４参照）側に設けられる前身頃１１と、前身頃１１に対峙して設けられる後身頃１２と、を備えている。
【００２６】
一対の脚部挿通部１ａ及び胴部挿通部１ｂは、伸縮性を有する帯状体により構成されている。
前身頃１１は、その略中央に、前方に突出する凸部Ｐを有している。
【００２７】
図２は、下着１を、その裏面が露出するように裏返した際の図である。
【００２８】
図２（ａ）は、下着１を裏返した際の正面図である。
図２（ａ）に示すように、前身頃１１には、表面に露出して設けられる前身頃本体１１ａと裏面に露出して設けられる腹部当接部１１ｂとが、内部に収容空間Ｓ１が形成されるように積層されている。
【００２９】
腹部当接部１１ｂには、その略中央に、局部が挿通される縦長かつ略Ｕ字状の挿通口Ｔが設けられている。
また、挿通口Ｔは、その上方縁部が胴部挿通部１ｂに連設されている。
【００３０】
前身頃１１について、さらに詳述すれば、腹部当接部１１ｂが、前身頃本体１１ａの略中央に積層されている。また、腹部当接部１１ｂの周縁が前身頃本体１１ａに縫合されることにより、前身頃本体１１ａと腹部当接部１１ｂとの間に、袋状の収容空間Ｓ１が形成されている。
図２（ｂ）は、図２（ａ）において、前身頃本体１１ａと腹部当接部１１ｂとが積層されている様子を示すために、挿通口Ｔの周縁の一部を捲り上げた際の部分拡大斜視図である。
なお、前身頃本体１１ａと腹部当接部１１ｂとは、共に伸縮性を有する素材で形成することが好ましい。
【００３１】
図２（ｃ）は、下着１を裏返した際の底面図である。
図２（ｃ）に示すように、下着１は、前身頃１１と後身頃１２との間に設けられるクロッチ部１３を備えている。
また、クロッチ部１３には、表面に設けられるクロッチ部本体１３ａと裏面に設けられる股部当接部１３ｂとが、内部に収容空間Ｓ２（図３参照）が形成されるように積層されている。
さらに、挿通口Ｔとクロッチ部１３とは、縦方向に間隔ｄを空けて設けられている。
【００３２】
クロッチ部１３について、さらに詳述すれば、略長方形状の股部当接部１３ｂが、クロッチ部本体１３ａの略中央に積層されている。また、股部当接部１３ｂの前方側長辺以外の３辺が前身頃本体１１ａに縫合されることにより、前身頃本体１１ａと腹部当接部１１ｂとの間に、袋状の収容空間Ｓ２が形成されている。
なお、クロッチ部本体１３ａと股部当接部１３ｂとは、共に伸縮性を有する素材で形成することが好ましい。
【００３３】
図３に示すように、前身頃１１が有する凸部Ｐは、前身頃本体１１ａに設けられている。
また、収容空間Ｓ２は、前方側に開口部ｔが設けられている。着用者は、開口部を介して、収容空間Ｓ２内に適宜綿や羽毛、ウレタン等クッション性のある素材等を設けることができる。
【００３４】
図４（ａ）は、着用者Ｗが下着１を着用した際の側面図である。
なお、図４（ａ）では、説明の便宜上、下着１のみをＸＸ′線断面図で表している。
【００３５】
図４（ａ）に示すように、陰茎Ａ１及び陰嚢Ａ２により構成される着用者Ｗの局部Ａが収容空間Ｓ１に収容されると、陰嚢Ａ２と太腿Ｗ１との間に、挿通口Ｔとクロッチ部１３との間に設けられている腹部当接部１１ｂが介在する状態となる。
【００３６】
図４（ｂ）は、着用者Ｗが下着１を着用した際の正面図である。
なお、図４（ｂ）では、局部Ａの収容状態を明確に示すため、前身頃本体１１ａにおいて、腹部当接部１１ｂが積層されている部分を除外して示している。
【００３７】
図４（ｃ）は、図４（ｂ）において、長方形状の二点鎖線で囲った領域の部分拡大断面図である。
なお、図４（ｃ）では、下着１を断面図で示している。
【００３８】
図４（ｃ）に示すように、収容空間Ｓ２に緩衝部材Ｂとしてクッション性のある素材を設けることで、着用者Ｗの股部Ｗ２が、股部当接部１３ｂを介して緩衝部材Ｂに当接することとなる。
なお、収容空間Ｓ２に収容する部材は、緩衝部材Ｂに限られず、例えば、消臭効果を有する繊維を使用した部材等であっても良く、特に限定されない。
【００３９】
本実施形態によれば、挿通口Ｔが胴部挿通部１ｂに連設されていることで、着用者は、通常の着用動作によって、局部Ａを、収容空間Ｓ１を形成している前身頃本体１１ａの裏面に確実に当接させ、スムーズに収容空間Ｓ１に収容することが可能となる。
【００４０】
また、挿通口Ｔとクロッチ部１３とが、間隔ｄを空けて設けられていることで、腹部当接部１１ｂに、着用者Ｗの陰嚢Ａ２と太腿Ｗ１とを分離する部分が形成されることとなり、下着１を着用した状態での陰嚢Ａ２と太腿Ｗ１との間のベタつきや蒸れを防止することが可能となる。
【００４１】
また、前身頃本体１１ａに、前方に突出する凸部Ｐが設けられていることで、前身頃本体１１ａによる局部Ａの圧迫を抑制でき、快適な着心地を実現することが可能となる。
【００４２】
また、挿通口Ｔが、略Ｕ字状であることで、挿通口Ｔの周縁が、陰嚢Ａ２の周縁に確実にフィットし、より快適な着心地を実現することが可能となる。
【００４３】
また、クロッチ部１３に、表面に設けられるクロッチ部本体１３ａと裏面に設けられる股部当接部１３ｂとが、内部に収容空間Ｓ２が形成されるように積層されていることで、収容空間Ｓ２に適宜緩衝部材を設けることができ、股部に当接する部分にクッション性を持たせ、より快適な着心地を実現することが可能となる。
【００４４】
なお、前記実施形態において示した各構成部材の諸形状や寸法等は一例であって、設計要求等に基づき種々変更可能である。
【符号の説明】
【００４５】
１          下着
１ａ        脚部挿通部
１ｂ        胴部挿通部
１１        前身頃
１１ａ      前身頃本体
１１ｂ      腹部当接部
１２        後身頃
１３        クロッチ部
１３ａ      クロッチ部本体
１３ｂ      股部当接部
Ｔ          挿通口
Ｐ          凸部
Ｓ１、Ｓ２  収容空間
ｔ          開口部
Ｗ          着用者
Ｗ１        太腿
Ｗ２        股部
Ａ          局部
Ａ１        陰茎
Ａ２        陰嚢
【図１】
2020002491.tif 000003
【図２】
2020002491.tif 000004
【図３】
2020002491.tif 000005
【図４】
2020002491.tif 000006